【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】  全光スイッチング装置を用いて、Ｎ個のビットスロットを含む光ビットスロットウインドウを生成する方法であって、該Ｎ個のビットスロットのすべては同一の論理状態を示し、該スイッチング装置は、連続したビットスロットにおいて光パルスを生成する光パルス源に結合された入力と、該ビットスロットウインドウを規定する出力ストリームを生成する出力と、光スイッチング信号源に結合されたスイッチング入力とを有しており、各光パルスは論理状態を示しており、該スイッチング入力にスイッチング信号を印加することによって該出力の論理状態を変えるように該入力と該出力との間の接続を選択的にスイッチする、方法において、該方法は：
第１のスイッチング信号を生成する工程と、
第２のスイッチング信号を生成するために該第１のスイッチング信号をコピーする工程と、
該第１のスイッチング信号を該スイッチング装置のスイッチング入力に送る工程と、
Ｎ個のビットスロットに相当する時間間隔の後に、該第２のスイッチング信号を該スイッチング装置の該スイッチング入力に送る工程と、を含む方法。
【請求項２】  請求項１に記載の方法であって、各スイッチング信号はビットスロットにおいて単一の光パルスを含む方法。
【請求項３】  請求項１に記載の方法であって、該スイッチング装置は全光非線形ゲートを備え、該ゲートは該スイッチング装置の入力に結合されたゲート入力と、ゲート出力ストリームを生成するゲート出力と、該スイッチング装置のスイッチング入力に接続されたゲートスイッチング入力とを有し、スイッチング信号を該スイッチング入力に印加することによって、単一のビットスロットに相当する時間間隔においてゲート出力ストリームの論理状態を変更するように該ゲート入力と該ゲート出力との間の接続を選択的にスイッチする、方法において、該方法はさらに：
単一のビットスロットに相当する時間間隔において該ゲート出力ストリームの該論理状態を変更するために該第１のスイッチング信号を該ゲートスイッチング入力に印加する工程と、
該ゲート出力ストリームの論理状態を維持するために、単一のビットスロット遅延で、該ゲート出力ストリームのＮ個のビットスロットを該ゲートスイッチング入力にフィードバックする工程と、を含む方法。
【請求項４】  請求項３に記載の方法であって、該方法はさらに、該スイッチング信号と同じ論理状態を有するビットスロットとスイッチング信号とが合成される場合、スイッチング信号が該ゲートスイッチング入力に印加されないように、該ゲートスイッチング入力への入力に先立って、該ゲート出力ストリームと該スイッチング信号とを合成する工程を含む方法。
【請求項５】  請求項３に記載の方法において、該ゲート出力ストリームにおいてフィードバックされるＮ個のビットスロットは、該スイッチング信号と同じ論理状態を有する方法。
【請求項６】  請求項３に記載の方法において、該ゲート出力ストリームにおいてフィードバックされるＮ個のビットスロットのそれぞれは、ビットスロットにおいて単一の光パルスを含む方法。
【請求項７】  請求項３に記載の方法において、該方法はさらに：
該Ｎ個の光ビットスロットのそれぞれが光パルスを含むように、該ゲート出力から該ゲート出力ストリームを得る工程を含む方法。
【請求項８】  請求項３に記載の方法において、該ゲートは、さらに第２のゲート出力を有し、該第２のゲート出力は該ゲート出力ストリームに対して相補的論理状態を有する第２のゲート出力ストリームを生成する、方法であって、該方法はさらに：
該Ｎ個の光ビットスロットのそれぞれが光パルスを含まないように、該第２のゲート出力から該出力ストリームを得る工程を含む方法。
【請求項９】  請求項２に記載の光ビットスロットウインドウを生成する方法とともに使用される、第１および第２の光二値ワードを比較する方法であって、該第１および第２の光二値ワードを比較する方法は、それぞれの論理状態を光学的に表す、Ｍ個の光ビットスロットのシーケンスとして規定される各ワードを有し、全光ワード比較器を利用し、該比較器は第１のワード入力と、第２のワード入力と、光パルスのストリームを受け取る入力と、出力とを有する、方法において、該方法は：
該第１および第２の二値ワードをそれぞれ該第１および第２のワード入力において受け取る工程と、
該２つの二値ワードのそれぞれのビットスロットを比較する工程と、
該出力が該２つの二値ワード間の関係を示すように、該入力と該出力との間の接続を選択的にスイッチする工程と、
光パルスのストリームを生成し、光パルスの該ストリームは、光パルスを含まない少なくとも１つのビットスロットを含む光ビットスロットウインドウを規定する工程と、
該光パルスのストリームを該ワード比較器に印加する工程であって、該光パルスのストリームにおける該ビットスロットウインドウの存在によって、該ワード比較器がリセットされる工程と、を含む方法。
【請求項１０】  請求項９に記載の方法において、該方法はさらに：
それぞれのビットスロットが一致する場合には合成された光信号ストリームの対応するビットスロットが第１の論理状態を有し、それぞれのビットスロットが異なる場合には第２の相補的論理状態を有するように、該第１および第２の二値ワードのそれぞれのビットスロットを合成することによって、合成された光信号ストリームを生成する工程と、
該比較器入力と該比較器出力との間の接続を選択的にスイッチするために、該合成された光信号ストリームの論理状態を用いる工程と、を含む方法。
【請求項１１】  請求項１０に記載の方法において、該ワード比較器はさらに全光非線形ゲートを備え、該ゲートはゲート入力と、ゲート出力ストリームを生成するゲート出力と、ゲートスイッチング入力とを有し、スイッチング信号を該ゲートスイッチング入力に印加することによって、該ゲート入力と該ゲート出力との間の接続を選択的にスイッチする方法であって、該方法はさらに：
該２つの二値ワード間の関係を示すために、該ゲートが該ゲート入力と該ゲート出力との接続を選択的にスイッチするように、該合成された光信号ストリームを該ゲートスイッチング入力に印加する工程、を含む方法。
【請求項１２】  請求項１１に記載の方法において、スイッチング信号を該ゲートスイッチング入力に印加することによって、該ゲート出力ストリームを１つのビットスロットに相当する時間において該第２の論理状態から該第１の論理状態へと変更させる方法。
【請求項１３】  請求項１２に記載の方法において、該スイッチング信号は第２の論理状態を有する光ビットスロットである方法。
【請求項１４】  請求項１０に記載の方法において、第２の論理状態を有するビットスロットは単一の光パルスを含む方法。
【請求項１５】  請求項１１に記載の方法において、該ワード比較器は、論理状態を表す１つの光ビットスロットを記憶する光再生メモリをさらに備え、該メモリはメモリワード入力と、メモリ出力と、メモリ入力とを有する方法において、該方法はさらに：
記憶される１つのビットスロットを該メモリワード入力に印加する工程と、
該ゲート出力ストリームをメモリ入力に印加する工程と、
記憶されたビットスロットのコピーを該メモリ出力から出力する工程と、を含む方法。
【請求項１６】  請求項１５に記載の方法において、記憶されるビットスロットが第２の論理状態を有し、該ゲート出力ストリームが第１の論理状態を有するビットスロットを含む場合、該記憶されたビットスロットが第１の論理状態を有するビットスロットによって置き換えられるように、該メモリがリセットされる方法。
【請求項１７】  請求項１５に記載の方法において、該ワード比較器は光パルスジェネレータをさらに備え、該方法は、記憶されるビットスロットを生成するために、単一の光パルスを該メモリワード入力に印加する工程をさらに含む方法。
【請求項１８】  Ｎ個のビットスロットを含む光ビットスロットウインドウを生成する装置であって、該Ｎ個のビットスロットはすべて同じ論理状態を表し、該装置は：
連続したビットスロットにおいて光パルスを生成し、該光パルスのそれぞれはある論理状態を表している光パルス源と、
Ｎ個のビットスロットに相当する時間間隔だけ離間した第１および第２のスイッチング信号を生成するスイッチング信号源と、
該スイッチング信号源に結合されたスイッチング入力と、該ビットスロットウインドウを規定する出力ストリームを生成する出力と、該光パルス源に結合された入力とを備えるスイッチング装置と、を具備し、
スイッチング信号を該スイッチング入力に印加することによって、該出力の論理状態を変更するように該入力と該出力との間の接続を選択的にスイッチし、
該スイッチング信号源は単一の光スイッチング信号を生成する生成源と、遅延線と、光コンバイナとを備え、該コンバイナは、該単一の光スイッチング信号を生成する生成源に結合された第１および第２の光コンバイナ入力と、コンバイナ出力とを有し、Ｎ個のビットスロットに相当する時間間隔だけ離間して該単一の光スイッチング信号が該第１および第２のコンバイナ入力に入力され、第１および第２の光スイッチング信号がＮ個のビットスロットだけ離間して該コンバイナ出力から出力されるように、該第１のコンバイナ入力は該遅延線を介して該単一の光スイッチング信号を生成する生成源に接続される装置。
【請求項１９】  請求項１８に記載の装置において、各スイッチング信号はビットスロットにおいて単一の光パルスを含む装置。
【請求項２０】  請求項１８に記載の装置において、該スイッチング装置は全光非線形ゲートを備え、該非線形ゲートは：
該スイッチング装置の入力に結合されたゲート入力と、ゲート出力ストリームを生成するゲート出力と、該スイッチング装置のスイッチング入力に結合されたゲートスイッチング入力と、該ゲート出力ストリームの論理状態を維持するために該ゲート出力ストリームのＮ個のビットスロットを該ゲートスイッチング入力にフィードバックし、単一のビットスロット遅延を有するフィードバックループと、を有し、スイッチング信号を該ゲートスイッチング入力に印加することによって、単一のビットスロットに相当する時間間隔において該ゲート出力ストリームの論理状態を変更するように、該ゲート入力と該ゲート出力との間の接続を選択的にスイッチする装置。
【請求項２１】  請求項２０に記載の装置において、該スイッチング装置はさらに光コンバイナを備え、該光コンバイナは：
該スイッチング装置のスイッチング入力に結合された第１のコンバイナ入力と、
該フィードバックループを介して該ゲート出力に結合された第２のコンバイナ入力と、
該ゲートスイッチング入力に結合されたコンバイナ出力と、を有し、該スイッチング信号と同じ論理状態を有するビットスロットとスイッチング信号とが該第１および第２のコンバイナ入力において実質的に同時に受け取られた場合、該コンバイナ出力からスイッチング信号が出力されない装置。
【請求項２２】  請求項２０に記載の装置において、該ゲート出力ストリームにおいてフィードバックされるＮ個のビットスロットのそれぞれは、ビットスロットにおいて単一の光パルスを含む装置。
【請求項２３】  請求項２０に記載の装置において、Ｎ個の光ビットスロットのそれぞれが光パルスを含むように、該ゲート出力が該スイッチング装置の出力に結合される装置。
【請求項２４】  請求項２０に記載の装置において、該ゲートはさらに、該ゲート出力ストリームの論理的相補である第２のゲート出力ストリームを生成する第２のゲート出力を有する装置。
【請求項２５】  請求項２４に記載の装置において、該第２のゲート出力は、該Ｎ個の光ビットスロットのそれぞれが光パルスを含まないように、該スイッチング装置の出力に結合されている装置。
【請求項２６】  全光ワード比較器および請求項１８に記載の光ビットスロットウインドウを生成する装置において、該ワード比較器は第１および第２の光二値ワードを比較し、各ワードは、それぞれの論理状態を光学的に表す、Ｍ個の光ビットスロットのシーケンスとして規定され、該比較器は：
第１の二値ワードを受け取る第１の比較器ワード入力と、
第２の二値ワードを受け取る第２の比較器ワード入力と、
光パルスのストリームを受け取る比較器入力と、
比較器出力と、
該第１および第２の比較器ワード入力と、該比較器入力と、該比較器出力とに結合された制御装置と、を備え、
該制御装置は該２つの二値ワードのそれぞれのビットスロットを比較し、該比較器出力からの出力が該２つの二値ワードの関係を示すように、該比較器入力と該比較器出力との間の接続を選択的にスイッチし、
該光ビットスロットウインドウを生成する装置は光パルスのストリームを生成し、該光パルスのストリームは、光パルスを含まない少なくとも１つのビットスロットを含む光ビットスロットウインドウを規定し、該光パルスのストリームにおける該ビットスロットウインドウの存在によって、該ワード比較器がリセットされる全光ワード比較器および光ビットスロットウインドウを生成する装置。
【請求項２７】  請求項２６に記載のワード比較器および光ビットスロットウインドウを生成する装置において、該制御装置は光コンバイナを有し、該光コンバイナは：
該第１および第２のワード入力にそれぞれ結合された第１および第２のコンバイナ入力と、合成された光信号ストリームを生成するコンバイナ出力と、を含み、第１および第２の二値ワードのそれぞれのビットスロットが一致する場合は該合成された光信号ストリームの対応するビットスロットが第１の論理状態を有し、該第１および第２の二値ワードのそれぞれのビットスロットが異なる場合は該合成された光信号ストリームの対応するビットスロットが第２の相補的論理状態を有するように、該コンバイナが該第１および第２の二値ワードのそれぞれのビットスロットを合成し、該合成された光信号ストリームの論理状態は、該比較器入力と該比較器出力との間の接続を選択的にスイッチするために用いられるワード比較器および光ビットスロットウインドウを生成する装置。
【請求項２８】  請求項２７に記載のワード比較器および光ビットスロットウインドウを生成する装置において、該制御装置はさらに全光非線形ゲートを有し、該ゲートは：
該比較器入力に結合されたゲート入力と、
ゲート出力ストリームを生成し、該比較器出力に接続されたゲート出力と、
該コンバイナ出力に結合されたゲートスイッチング入力とを含み、スイッチング信号を該ゲートスイッチング入力に印加することによって、該ゲート出力ストリームの論理状態を変更するように、該ゲート入力と該ゲート出力との間の接続を選択的にスイッチするワード比較器および光ビットスロットウインドウを生成する装置。
【請求項２９】  請求項２８に記載のワード比較器および光ビットスロットウインドウを生成する装置において、スイッチング信号を該ゲートスイッチング入力に印加することによって、１つのビットスロットに相当する時間において該ゲート出力ストリームを該第２の論理状態から該第１の論理状態に変更するワード比較器および光ビットスロットウインドウを生成する装置。
【請求項３０】  請求項２９に記載のワード比較器および光ビットスロットウインドウを生成する装置において、該スイッチング信号は該第２の論理状態を有する光ビットスロットであるワード比較器および光ビットスロットウインドウを生成する装置。
【請求項３１】  請求項２７に記載のワード比較器および光ビットスロットウインドウを生成する装置において、該第２の論理状態を有するビットスロットは単一の光パルスを含むワード比較器および光ビットスロットウインドウを生成する装置。
【請求項３２】  請求項２８に記載のワード比較器および光ビットスロットウインドウを生成する装置において、該制御装置は、論理状態を表す１つの光ビットスロットを記憶する光再生メモリをさらに有し、該メモリは：
記憶される１つのビットスロットを受け取るメモリワード入力と、
該比較器出力に結合され、記憶されたビットスロットのコピーを出力するメモリ出力と、
ゲート出力に結合され、該ゲート出力ストリームを受け取るメモリ入力と、を含むワード比較器および光ビットスロットウインドウを生成する装置。
【請求項３３】  請求項３２に記載のワード比較器および光ビットスロットウインドウを生成する装置において、記憶されるビットスロットが該第２の論理状態を有し、該ゲート出力ストリームが該第１の論理状態を有するビットスロットを含む場合、該記憶されたビットスロットが該第１の論理状態を有するビットスロットによって置き換えられるように、該メモリがリセットされるワード比較器および光ビットスロットウインドウを生成する装置。
【請求項３４】  請求項３２に記載のワード比較器および光ビットスロットウインドウを生成する装置において、該制御装置は、該メモリワード入力に結合され、記憶されるビットスロットを生成する光パルスジェネレータをさらに有し、該ビットスロットは単一の光パルスを有するワード比較器および光ビットスロットウインドウを生成する装置。
【請求項３５】  同一の論理状態を有する光パルスストリームをスイッチングするスイッチング装置であって、該ストリームは複数のビットスロットを有しており、該スイッチング装置は、使用時に該光パルスストリームを受け取る装置入力と、該受け取ったパルスの少なくともいくつかを出力する装置出力と、光スイッチング信号を受け取るスイッチング入力と、を具備し、該スイッチング装置は、該装置入力で受け取ったパルスが該装置出力において出力される第１の状態と、該装置入力で受け取ったパルスが該装置出力において出力されない第２の状態と、を有し、該スイッチング装置は、該装置が該第１または第２のいずれかの状態にあり、該光パルスストリームが受け取られているときに、該スイッチング信号が、該スイッチング入力に印加されると、該装置は該第１または第２の状態から他方の状態に変更され、該装置は別のスイッチング信号が受け取られるまで同じ状態のままであるスイッチング装置。
【請求項３６】  請求項３５に記載のスイッチング装置において、該装置出力を制御入力に接続する帰還路が設けられ、該帰還路は、該帰還路を通じて伝送される光パルスに遅延を加えるための遅延線を有し、該遅延線によって加えられる該遅延は単一のビットスロットに相当するスイッチング装置。
【請求項３７】  請求項３６に記載のスイッチング装置において、第１の入力と、第２の入力と、出力とを有するＸＯＲゲートが設けられ、該帰還路は該ＸＯＲゲートの該出力と該第１の入力との間に設けられ、該ＸＯＲゲートの該第２の入力は該スイッチング装置の該装置入力に結合され、該第１のＸＯＲゲート入力と該ＸＯＲゲート出力はそれぞれ該スイッチング装置の該スイッチング入力と出力とに結合されるスイッチング装置。
【請求項３８】  請求項３５に記載のスイッチング装置において、該ＸＯＲゲートはスイッチング入力を有する全光非線形ゲートを含み、該全光ゲートは、該スイッチング入力においてパルスを受け取らないときと、該スイッチング入力において２つのパルスを受け取るときに、第１のスイッチング状態にあり、該全光ゲートは、該スイッチング入力において単一のパルスを受け取るときに、第２のスイッチング状態にある、スイッチング装置。
【請求項３９】  請求項３５に記載のスイッチング装置において、該スイッチング装置は該装置出力の論理的相補である出力ストリームを生成する別の出力を具備するスイッチング装置。
【請求項４０】  請求項３９に記載のスイッチング装置において、該装置が該第１の状態にあるとき、該装置入力に印加されたパルスが、該装置出力に送られ、該装置が第２の状態にあるとき、該別の出力に送られるように該スイッチング装置が構成され、該帰還路は該装置出力と該スイッチング入力との間に設けられるスイッチング装置。
【請求項４１】  光ビットスロットウインドウを生成する装置であって、該ウインドウはＮ個のビットスロットを有し、ビットスロットのそれぞれは該ウインドウにおける他のビットスロットと同じ論理状態を有し、該装置は請求項３５に記載のスイッチング装置と、連続したビットスロットにおいて光パルスストリームを生成するパルスストリーム源と、それぞれが他と同じ状態を有する第１のスイッチング信号および第２のスイッチング信号を生成するスイッチング源と、を具備し、該スイッチング源はＮ個のビットスロットに相当する時間分離で、互いに続いて該第１および第２のスイッチング信号を生成するように構成され、該パルスストリーム源は該スイッチング装置の該装置入力に結合され、該スイッチング源は該スイッチング装置の該スイッチング入力に結合される光ビットスロットウインドウを生成する装置。
【請求項４２】  請求項４１に記載の装置において、該スイッチング源はパルスを供給するパルス源と、該パルス源によって供給される該パルスを遅延させるように構成された遅延線と、一方の入力において該パルス源から直接該パルスのコピーを受け取り、他方の入力において該遅延されたパルスを受け取るように構成された光コンバイナと、を備え、該コンバイナは該スイッチング装置の該スイッチング入力に結合された出力を有し、該遅延線は該遅延されるパルスが直接受け取られるパルスに対してＮ個のビットスロットに相当する時間だけ遅延するように遅延を加える装置。
【請求項４３】  請求項４１に記載の装置において、該Ｎ個のビットスロットウインドウにおける該ビットスロットのそれぞれは光パルスを含む装置。
【請求項４４】  請求項４１に記載の装置において、該Ｎ個のビットスロットウインドウにおける該ビットスロットのそれぞれは光パルスを含まない装置。